(57)【要約】【課題】  高精度の印刷を必要とすることなく高い表示品質を得ることができ、低コストの生産を可能にし、光漏れなどの不具合を生じにくくできる可変表示構造を提供すること。【解決手段】  拡散シート１０ａの片面に、第１光源３の波長のみを透過させる第１印刷部分１０ｂと、第２光源の波長のみを透過させる第２印刷部分１０ｃと、第１光源３の波長と第２光源４の波長を透過させない背景印刷部分１０ｅとを設け、拡散シート１０ａの第１印刷部分１０ｂを設けた面と反対側の面に施された、第１表示１２と第２表示１３の重複する部分と重なる部分で、第１光源３及び第２光源４の光を抑制する調光印刷部１０ｆを設けた。【選択図】        図１
2005257938.tif 000002
【特許請求の範囲】
【請求項１】
透光性のあるシートに波長の異なる第１光源の光と第２光源の光を切り換えて投光させ、
第１表示と第２表示を行わせる可変表示構造であって、
前記シートの片面に施された、第１光源の波長のみを透過させる第１印刷部分と、
前記シートの前記第１印刷部分を設けた面に施された、第２光源の波長のみを透過させる第２印刷部分と、
前記シートの前記第１印刷部分を設けた面に施された、第１光源の波長と第２光源の波長を透過させない第３印刷部分と、
前記シートの前記第１印刷部分を設けた面と反対側の面に施された、前記第１表示と前記第２表示の重複する部分と重なる部分で、第１光源及び第２光源の光を抑制する調光印刷部と、
を備え、
前記シートの前記第１印刷部分を設けた面の前記第１表示と前記第２表示の重複する部分には印刷を施さない、
ことを特徴とする可変表示構造。
【請求項２】
請求項１に記載された可変表示構造において、
前記調光印刷部が、
前記第１表示と第２表示の重複する部分より大きな面積である、
ことを特徴とする可変表示構造。
【請求項３】
請求項１又は請求項２に記載された可変表示構造において、
前記調光印刷部が、
印刷部分と非印刷部分を規則的に配置したものである、
ことを特徴とする可変表示構造。
【請求項４】
請求項３に記載された可変表示構造において、
前記調光印刷部が、
丸い印刷部分を規則的に配置したドットパターン、
格子状の印刷部分からなる格子模様、
矩形の印刷部分と非印刷部分からなる市松模様、
のいずれかである、
ことを特徴とする可変表示構造。
【請求項５】
請求項３又は請求項４に記載された可変表示構造において、
前記調光印刷部が、
非印刷部分と印刷部分の割合を徐々に変化させたグラデーション部分を有するものである、
ことを特徴とする可変表示構造。
【請求項６】
請求項２〜請求項５に記載された可変表示構造において、
前記調光印刷部が、
前記第１表示と前記第２表示の重複する部分と重なる部分と、
前記第１表示又は前記第２表示と重なる部分で、かつ前記第１表示と前記第２表示とが重複しない部分と重なる部分と、
に設けられる、
ことを特徴とする可変表示構造。
【請求項７】
請求項１〜請求項６に記載された可変表示構造において、
前記調光印刷部の印刷部分が、
黒い印刷部分であることを特徴とする可変表示構造。
【発明の詳細な説明】
【技術分野】
【０００１】
本発明は、同一表示面に異なる表示を切り換えて表示させる可変表示構造の技術分野に属する。
【背景技術】
【０００２】
従来においては、第１波長領域の青色光を通過させる第１領域、第２波長領域の緑色光を通過させる第２領域、背景を形成するその他の領域を箔シート後面にプリント印刷し、後方から、青色光の第１光源と緑色光の第２光源で照明している（例えば、特許文献１参照。）。
【特許文献１】特開２００１−１００６７９号公報（第２−８頁、全図）
【発明の開示】
【発明が解決しようとする課題】
【０００３】
しかしながら、従来にあっては、印刷が全て片面に施されており、印刷する部分が隣り合う為、高精度の印刷が必要であり、高コストである。また、隣り合う印刷部分が重なった場合、そのラップ部分が目立ってしまうため、表示が荒れてしまう。また、印刷の位置ズレにより光漏れが発生し表示品質が低下する。
【０００４】
本発明は、上記問題点に着目してなされたもので、その目的とするところは、高精度の印刷を必要とすることなく高い表示品質を得ることができ、低コストの生産を可能にし、光漏れなどの不具合を生じなくできる可変表示構造を提供することにある。
【課題を解決するための手段】
【０００５】
上記目的を達成するため、本発明では、透光性のあるシートに波長の異なる第１光源の光と第２光源の光を切り換えて投光させ、第１表示と第２表示を行わせる可変表示構造であって、前記シートの片面に施された、第１光源の波長のみを透過させる第１印刷部分と、前記シートの前記第１印刷部分を設けた面に施された、第２光源の波長のみを透過させる第２印刷部分と、前記シートの前記第１印刷部分を設けた面に施された、第１光源の波長と第２光源の波長を透過させない第３印刷部分と、前記シートの前記第１印刷部分を設けた面と反対側の面に施された、前記第１表示と前記第２表示の重複する部分と重なる部分で、第１光源及び第２光源の光を抑制する調光印刷部とを備え、前記シートの前記第１印刷部分を設けた面の前記第１表示と前記第２表示の重複する部分には印刷を施さないことを特徴とする。
【発明の効果】
【０００６】
よって、本発明にあっては、第１表示と第２表示の重なる意匠部分に印刷を行わない為、高精度の印刷が必要なく、低コストの生産が可能であると共に、光漏れなどの不具合を生じにくくでき、良好な表示品質を得ることができる。
また、コストを抑制した印刷によって、精度よく調光を行い、表示品質を向上できる。
【発明を実施するための最良の形態】
【０００７】
以下、本発明の可変表示構造を実現する実施の形態を、請求項１，２，３，４，５，７に係る発明に対応する実施例１及び実施例３と、請求項６に対応する実施例２とに基づいて説明する。
【実施例１】
【０００８】
まず、構成を説明する。
図１は実施例１の可変表示構造を示す断面図である。図２は実施例１の可変表示構造のカラーフィルタの正面図である。図３は実施例１の可変表示構造のカラーフィルタの背面図である。図４は図２のＡ−Ａ断面図である。図５は図４のＢ部の拡大説明図である。図６は実施例１の可変表示構造の第１印刷部分、第２印刷部分の特性と第１光源、第２光源の波長との関係を示す説明図である。図７は実施例１の可変表示構造の調光印刷部の印刷パターンを示す説明図である。図８は実施例１の可変表示構造の第１表示と第２表示を示す説明図である。
【０００９】
スイッチ１は、図１に示すように、まず、矩形枠状のスイッチフィニッシャ２の内部に矩形枠状のガイドハウジング７を設ける。
ガイドハウジング７には、矩形枠状のスイッチフィニッシャ２の開口面から開口面へ向かう方向、つまり前後面に摺動可能なレール部分を設ける。
スイッチフィニッシャ２及びガイドハウジング７の背面側には、開口を塞ぐ板状の基板６を設ける。
基板６の前面側、つまりスイッチフィニッシャ２の内部側には、波長が約５００nmをピークとする第１光源３と、波長が約６００nmをピークとする第２光源４、押されることによりON/OFFの操作入力を行うタクトスイッチ５を設ける。
【００１０】
第１光源３及び第２光源としては、異なる色を発光するＬＥＤがコスト抑制、メンテナンス性から好ましいが、別のものであってもよい。
次に内外で２重の枠部分を有するスライダ８を設ける。スライダ８の内側の枠部分は、第１光源３及び第２光源４側に行くに従って角錐状に内側が狭くなる形状にする。また、スライダ８の内側の枠形状部分は後方に延長し、第１光源３及び第２光源４の側方を覆うようにする。
さらに、スライダ８の内側の枠形状部分の下方傾斜面には、下方に突出する形状の係合部８ａを設ける。係合部８ａの位置は、下方に移動するとタクトスイッチ５と係合する位置にする。
スライダ８の内側枠部分の前面部分には、カラーフィルタ１０を設ける。
カラーフィルタ１０の前面側には、消灯時に外光によって印刷パターンが見えてしまうのを防ぐために全体的に透光性が低くされたスモークレンズ１１を設ける。
【００１１】
ここで、スモークレンズ１１、カラーフィルタ１０を取り付けたスライダ８を、ガイドハウジング７のレール部分に係合させて前後に摺動自在にする。
これにより、スライダ８をタクトスイッチ５に向かって押すと、スライダ８が摺動して傾斜面から下方に突出する形状の係合部８ａがタクトスイッチ５を押す構造にする。
また、押された後に、自由状態にすると、タクトスイッチの反力で戻る構造にする。
【００１２】
カラーフィルタ１０は、拡散シート１０ａ（シートに相当する）の前面に、第１印刷部分１０ｂ、第２印刷部分１０ｃ、重なり部分１０ｄ（第１表示１２と第２表示１３の重複部分に相当する）、背景印刷部分１０ｅ（第３印刷部分に相当する）を設ける。
ここで、第１表示１２を図８(a)に示すように図形の「○」、第２表示１３を図８(b)に示すように図形の「×」とする。
第１印刷部分１０ｂは、第１表示１２である「○」の第２表示１３「×」と重ならない図２の部分であり、赤色光を通過させる赤い色の印刷である。この第１印刷部分１０ｂの波長に対する透過効率の特性は、図６の線２１で示す特性となる。
【００１３】
第２印刷部分１０ｃは、第２表示１３である「×」の第１表示１２「○」と重ならない図２の部分であり、青色光を通過させる青い色の印刷である。この第２印刷部分１０ｃの波長に対する透過効率の特性は、図６の線２３で示す特性となる。
重なり部分１０ｄは、第１表示１２の「○」と第２表示１３の「×」とが重なった部分である。実施例１では、第１印刷部分１０ｂと第２印刷部分１０ｃを施す拡散シート１０ａの前面の重なり部分１０ｄに、何も印刷しない。
【００１４】
第１印刷部分１０ｂと第２印刷部分１０ｃは、実際に表示する第１表示１２及び第２表示１３よりやや幅広く印刷しておき、その上から黒い印刷である背景印刷部分１０ｅを印刷することにより、第１印刷部分１０ｂと第２印刷部分１０ｃの外周縁位置が決まるようにする。
さらに、重なり部分１０ｄと重なる位置の拡散シート１０ａの第１印刷部分１０ｂ、第２印刷部分１０ｃと反対側の面に、調光印刷部１０ｆを設ける。
調光印刷部１０ｆは、図７(a)に示すように黒く、丸い印刷部分を規則的に配置したドットパターンである。この黒丸の大きさ、密度により調光を行う。
【００１５】
さらに、この調光印刷部１０ｆは、重なり部分１０ｄを投影した部分の面積を覆い、かつ重なり部分１０ｄよりも大きな面積となるようにする。これにより、拡散シート１０ａの表裏で、図４に示す第１印刷部分１０ｂ又は第２印刷部分１０ｃと、重なり部分１０ｄとの重複部分が生じる。
この重複部分において、調光印刷部１０ｆのドットパターンに、図７(b)に示す、黒丸の大きさを徐々に小さくするグラデーションを設けるようにする。
【００１６】
次に作用を説明する。
［表示作用］
(a)第１表示
実施例１において、第１表示１２を表示させるには、第１光源３を点灯させ、第２光源４を消灯する。
第１光源３から発せられる光は、スライダ８の内側枠で、第１光源３の側方に発散する光を前方に反射する。
このスライダ８の内側枠の内部空間を通るようにして、前面部分からカラーフィルタ１０に光が入光する。
カラーフィルタ１０を構成する拡散シート１０ａの背面の一部には、調光印刷部１０ｆを設けているため、この部分において、黒丸の印刷部分では、光が通過できず、印刷がない部分では光が通過するため、予め定めたドットパターンに従って、黒い部分と白い部分の比率で、輝度を抑制し拡散シート１０ａに入光することになる。
つまり、拡散シート１０ａへの入光量は、入光量＝黒い印刷のない部分／調光印刷部１０ｆ総面積の式で表せるものとなる。
【００１７】
また、調光印刷部分１０ｆ以外の部分では、輝度を損なうことなく入光する。
拡散シート１０では、光が拡散され前面へ向かうことになる。
この拡散により、第１印刷部分１０ｂ及び第２印刷部分１０ｃと、調光印刷部分１０ｆの輝度格差が少なくなる。
拡散シート１０の前面では、第１印刷部分１０ｂでは、図６に示すように第１光源の光を通過させる（線２１と線２２で示す関係）ため、第１印刷部分１０ｂが明るく表示する。
拡散シート１０により光が拡散するため、光源の位置に重なる部分の輝度が最も高くなりすぎることがなく、均一した表示になる。
【００１８】
さらに、重なり部分１０ｄは、調光印刷部分１０ｆにより輝度が落ちた状態で、第１光源の色がそのまま表示される。
一方、第２印刷部分１０ｃは、図６において線２３で示す特性となるため、線２３と線２２の関係により第１光源３の光は通過できない。
また、背景印刷部分１０ｅは、第１光源３の光、第２光源の光いずれも通過させない。
これにより、第１表示１２つまり、図８(a)に示す「○」が表示されることになる。
【００１９】
(b)第２表示
実施例１において、第２表示１３を表示させるには、第２光源４を点灯させ、第１光源３を消灯する。
すると、第２印刷部分１０ｃと第２光源４との関係は、図６の線２３と線２４の関係となるため、第２印刷部分１０ｃが明るく表示される。
さらに、重なり部分１０ｄは、調光印刷部分１０ｆにより輝度が落ちた状態で、第２光源の色がそのまま表示される。
一方、第１印刷部分１０ｂと第２光源４との関係は、図６において、線２１と線２４の関係となるため、第２光源４の光は通過できない。
また、背景印刷部分１０ｅは第１光源３及び第２光源の光をいずれも通過させない。
これにより、第２表示１３つまり、図８(b)に示す「×」が表示されることになる。
【００２０】
［スイッチ作用］
実施例１では、上記のように、スイッチで表示する意匠を第１表示１２、第２表示に切り換え、どちらかの状態で、操作する人がスモークレンズ１１を押すと、スライダ８がスイッチフィニッシャ２に対して後方に摺動し、スライダ８の一部がタクトスイッチ５を押す。
スイッチ１としては、基板６に設けられる図示しない回路によって、どちらの表示状態において、タクトスイッチ５に入力があったかを判断し、２つの操作入力として使用する。
これにより、１つのスイッチにおいて、異なるモードでの操作入力が可能となる。
【００２１】
［コスト抑制作用及び光漏れ防止作用］
実施例１では、調光印刷部分１０ｆを設けることにより、重なり部分１０ｄを印刷で設けない。重なり部分１０ｄは、第１印刷部分１０ｂ、第２印刷部分１０ｃと直接つながった表示となる部分であり、この部分がズレると、表示品質が低下する。また、重なり部分１０ｄが第１印刷部分１０ｂ又は第２印刷部分１０ｃと離れるようにズレると、光漏れが生じることになる。
そのため、重なり部分１０ｄを印刷で設ける場合には、精度が必要となる。
しかし、実施例１では、重なり部分１０ｄに印刷を施さないため、印刷精度を抑えることができ、よってコストが抑えられる。
また、第１表示１２、第２表示１３は、黒色の背景印刷部分１０ｅにより所定の寸法形状で意匠部分を抜くポジ印刷ができるため、高精度の印刷を行なうことなく精度のよい表示が行える。
また、印刷位置ズレによる光漏れは生じない。
さらに、調光印刷部分１０ｆは、重なり部分１０ｄより面積を広くしているので、精度を必要とせずに設けることができ、コストが抑制される。
【００２２】
［表示品質の向上作用］
(a)重なり部分１０ｄに印刷を施さない作用
重なり部分１０ｄに印刷を施さないことは、意匠（図２に示す「○」又は「×」）を構成する部分に印刷ズレが生じないことになる。
印刷ズレがあると、その部分が目立ってしまい表示品質が低下するが、実施例１では印刷ズレがないため、表示品質が向上する。
【００２３】
(b)スライダの集光作用
実施例１では、スライダ８の内側の枠状部分により第１光源３及び第２光源４の側方の光を前方に送る。よって、第１表示１２、第２表示１３の全体的な輝度を明るくする。
これにより、スモークレンズ１１で、日光の反射等により表示させていない意匠の印刷部分が操作する人に見えなくし、表示部分は、明るい輝度により見やすく表示する。
【００２４】
(c)重なり部分１０ｄに印刷を施さず調光印刷部分１０ｆを設けた作用
もし、重なり部分１０ｄに印刷を施すならば、操作する人への見え方としての明るさが問題となる。つまり重なり部分１０ｄと第１印刷部分１０ｂ、第２印刷部分１０ｃとの色の明るさに差があると１つの意匠としての認識性が低下してしまう。
実施例１では、重なり部分１０ｄに印刷を施さず、調光印刷部分１０ｆを拡散シート１０ａに設けて、輝度を低下させる調光を行う。そのため、操作する人が１つの意匠として確実に認識できる色の明るさに調光され、表示品質が向上する。
【００２５】
(d)調光印刷部分による調光作用
調光印刷部分１０ｆでは、黒丸に印刷する部分の非印刷部分との比率により輝度を抑制するレベルを自在に変更する。
この調光は、予め規則的に配置した黒丸の大きさで対応することができ、この対応に関してコスト増はない。
さらにこの調光は、黒丸が規則的であるために均一な調光となり、黒丸の規則的な配置は模様のようになり、拡散シートを通して見えるためドットパターンが表面から見えることはない。
また、黒い色にすることにより、確実な輝度の抑制ができると共に、その輝度の抑制を容易に決めることができる。
【００２６】
(e)グラデーションによる品質向上
実施例１では、拡散シート１０ａの表裏で、図４に示す第１印刷部分１０ｂ又は第２印刷部分１０ｃと、重なり部分１０ｄとの重複部分が生じ、この重複部分において、調光印刷部１０ｆのドットパターンに、図７(b)に示す黒丸の大きさを徐々に小さくするグラデーションを設けている。
これにより、第１印刷部分１０ｂ又は第２印刷部分１０ｃにおいて、調光印刷部分１０ｆとの重複部分がある部分と重複がない部分との差を目立たなくする。
【００２７】
次に、効果を説明する。
【００２８】
実施例１の可変表示構造及び可変表示構造を備えるスイッチにあっては、下記に列挙する効果を得ることができる。
【００２９】
(1)透光性のある拡散シート１０ａに波長の異なる第１光源３の光と第２光源４の光を切り換えて投光させ、第１表示１２と第２表示１３を行わせる可変表示構造であって、拡散シート１０ａの片面に施された、第１光源３の波長のみを透過させる第１印刷部分１０ｂと、拡散シート１０ａの第１印刷部分１０ｂを設けた面に施された、第２光源の波長のみを透過させる第２印刷部分１０ｃと、拡散シート１０ａの第１印刷部分１０ｂを設けた面に施された、第１光源３の波長と第２光源４の波長を透過させない背景印刷部分１０ｅと、拡散シート１０ａの第１印刷部分１０ｂを設けた面と反対側の面に施された、第１表示１２と第２表示１３の重複する部分と重なる部分で、第１光源３及び第２光源４の光を抑制する調光印刷部１０ｆとを備え、拡散シート１０ａの第１印刷部分１０ｂを設けた面の第１表示１２と第２表示１３の重複する部分には印刷を施さないため、高精度の印刷が必要なく、低コストの生産が可能であると共に、光漏れなどの不具合を生じにくくでき、良好な表示品質を得ることができる。
また、コストを抑制した印刷によって、精度よく調光を行い、表示品質を向上できる。
【００３０】
(2)調光印刷部１０ｆが、第１表示１２と第２表示１３の重複する部分より大きな面積であるため、さらにコストを抑制し、かつ表示品質を向上させることができる。
【００３１】
(3)調光印刷部１０ｆが、印刷部分と非印刷部分を規則的に配置したものであるため、均一な調光がコストを抑制してできる。
【００３２】
(4)調光印刷部１０ｆが、丸い印刷部分を規則的に配置したドットパターン、格子状の印刷部分からなる格子模様、矩形の印刷部分と非印刷部分からなる市松模様のいずれかであるため、均一な調光を目立たないように行うことができる。
【００３３】
(5)調光印刷部１０ｆが、非印刷部分と印刷部分の割合を徐々に変化させたグラデーション部分を有するものであるため、調光印刷部１０ｆと第１印刷部分１０ｂ又は第２印刷部分１０ｃとの重複部分を目立たせないようにして表示品質をさらに向上できる。
【００３４】
(7)調光印刷部１０ｆの印刷部分が、黒い印刷部分であるため、表示色に影響少なく、確実に輝度を抑制する調光を行うことができる。
【００３５】
(8)可変表示構造を備えるスイッチ１を自動車のインストルメントパネルに設けたため、インストルメントパネルのデザインの自由度を向上させ、使いやすいものにできる。
【実施例２】
【００３６】
実施例２は、調光印刷部を、第１印刷部分又は第２印刷部分に設けた例である。
すなわち、図１１に示すように、重なり部分１０ｄの拡散シート１０ａの裏側に設けた調光印刷部１０ｆに加えて、第２印刷部分１０ｃと重なる拡散シート１０ａの裏側部分に調光印刷部１０ｇを設ける。
調光印刷部１０ｇは、調光印刷部１０ｆと同種の黒丸を規則的に配置したドットパターンで形成するが、調光印刷部１０ｆに比べてドットパターンの密度、つまり、非印刷部分に対する黒丸印刷部分の密度を疎にする（図１２参照）。
その他構成は、実施例１と同様であるので説明を省略する。
【００３７】
作用を説明する。
［表示品質の向上作用］
実施例１及び実施例２では、第１印刷部分１０ｂ及び第２印刷部分１０ｃをカラーフィルタ１０に印刷を施して設けている。
この印刷のインク特性によっては、図１３に示すように、第１印刷部分１０ｂの特性を示す線２５と、第２印刷部分１０ｃの特性を示す線２１との間で透過率差Ｇを生じることがある。
この場合、第１光源３による第１表示１２と、第２光源４による第２表示１３の輝度差が著しくなり、第１光源３と第２光源４の照明時のムラによる外観品質が損なわれる。
【００３８】
実施例２では、第２印刷部分１０ｂと重なる拡散シート１０ａの後面に調光印刷部１０ｇを設けて、調光するため、第１印刷部分１０ｂと第２印刷部分１０ｃの特性を調整することができ、第１表示１２と第２表示１３の明るさを同等の適度にし、表示品質を向上させる。
【００３９】
効果を説明する。
実施例２の可変表示構造にあっては、実施例１の効果に加えて以下の効果を有する。
(6)第１表示１２と第２表示１３の重複する部分と重なる拡散シート１０ａに設ける調光印刷部１０ｆに加えて、第１表示１２と第２表示１３の重複する部分を除く第２表示１３部分と重なる拡散シート１０ａ部分に調光印刷部１０ｇを設けたため、第１印刷部分１０ｂと第２印刷部分１０ｃの特性差を調整して表示品質を向上できる。
第１表示１２と第２表示１３の輝度を同等に調整ができることは、２つの表示を優先度なく用いる際に特に有効である。
【実施例３】
【００４０】
実施例３はシートにスモーク印刷を施した例である。
すなわち、図１４に示すように、拡散シート１０ａの第１印刷部分１０ｂ、第２印刷部分１０ｃ、背景印刷部分１０ｅを設けた面を覆うように、スモーク印刷部分３０を設ける。
このようにして、スモークレンズ１１を設けない場合、第１光源３及び第２光源４を消灯している際に、日光等により印刷意匠面内部、つまり第１印刷部分１０ｂ、第２印刷部分１０ｃが見えることを防止し、表示品質をさらに向上できる。
また、スモークレンズ１１とスモーク印刷部分３０を併用することにより、光源の非点灯時に非表示の品質、つまり印刷部分が透けて見えないことがさらに向上する。
【実施例４】
【００４１】
実施例４は、透明シート（シートに相当する）を用いた例である。
図１５は実施例４の可変表示構造の断面図である。
すなわち、図１５に示すように透明シート４０に、第１印刷部分１０ｂ、第２印刷部分１０ｃ、重なり部分１０ｄ、背景印刷部分１０ｅ、調光印刷部１０ｆを設けている。
表示する２つの意匠の形状、大きさ、色によっては、拡散シートより透明シート４０により光を拡散させない方が、表示が見やすい、もしくは目的に適した表示となる場合には、透明シート４０を用いるようにしてもよい。
例として、表示が小さく注意を促すために輝度を優先したい場合、色がぼやけた色の場合を挙げておく。
【００４２】
以上、本発明の可変表示構造を実施例１、実施例２に基づき説明してきたが、具体的な構成については、これらの実施例に限られるものではなく、特許請求の範囲の各請求項に係る発明の要旨を逸脱しない限り、設計の変更や追加等は許容される。
【００４３】
例えば実施例１では、２つの光源として、ピークが約６００nmであるものと約５００nmであるものを用いたが、ピークが他の値となる他の特性のもの、つまり他の色で発光する光源を用いてもよい。
また、さらに多くの光源及びこれに対応する印刷部分を設けるようにしてもよい。
第１印刷部分、第２印刷部分、背景印刷部分、調光印刷部の拡散シートへの印刷には、シルク印刷、凸版印刷、インクジェット印刷があり、いずれの印刷によるものでもよい。
調光印刷部は、図７、図９に示すもの以外であってもよい。また、図７、図９に示すものをネガポジ反転させたものでもよい。
調光印刷部が、ドットパターンであるものをグラデーションさせる際に、実施例１では、黒丸の大きさを変化させたが、ピッチを変化させるようにしてもよく、黒丸の大きさ、ピッチの両方を変化させるようにしてもよい。
【図面の簡単な説明】
【００４４】
【図１】実施例１の可変表示構造を示す断面図である。
【図２】実施例１の可変表示構造のカラーフィルタの正面図である。
【図３】実施例１の可変表示構造のカラーフィルタの背面図である。
【図４】図２のＡ−Ａ断面図である。
【図５】図４のＢ部の拡大説明図である。
【図６】実施例１の可変表示構造の第１印刷部分、第２印刷部分の特性と第１光源、第２光源の波長との関係を示す説明図である。
【図７】実施例１の可変表示構造の調光印刷部の印刷パターンを示す説明図である。
【図８】実施例１の可変表示構造の第１表示と第２表示を示す説明図である。
【図９】実施例１の可変表示構造の調光印刷部の印刷パターンの他の例を示す説明図である。
【図１０】実施例２の可変表示構造のカラーフィルタの正面図、及び第２印刷部分と重なり部分を示す説明図である。
【図１１】図１０のＣ−Ｃ断面図である。
【図１２】実施例２の可変表示構造における調光印刷部の印刷パターンを示す図９のＤ部拡大図である。
【図１３】実施例２の可変表示構造の第１印刷部分、第２印刷部分の特性と第１光源、第２光源の波長との関係を示す説明図である。
【図１４】実施例３の可変表示構造の断面図である。
【図１５】実施例４の可変表示構造の断面図である。
【符号の説明】
【００４５】
１  スイッチ
２  スイッチフィニッシャ
３  第１光源
４  第２光源
５  タクトスイッチ
６  基板
７  ガイドハウジング
８  スライダ
８ａ  係合部
１０  カラーフィルタ
１０ａ  拡散シート
１０ｂ  第１印刷部分
１０ｃ  第２印刷部分
１０ｄ  重なり部分
１０ｅ  背景印刷部分
１０ｆ  調光印刷部
１０ｇ  調光印刷部
１１  スモークレンズ
１２  第１表示
１３  第２表示
２１  （第１印刷部分の）特性を示す線
２２  （第１光源の）特性を示す線
２３  （第２印刷部分の）特性を示す線
２４  （第２光源の）特性を示す線
２５  （実施例２の第２印刷部分の）特性を示す線
３０  スモーク印刷部分
４０  透明シート
【図１】
2005257938.tif 000003
【図２】
2005257938.tif 000004
【図３】
2005257938.tif 000005
【図４】
2005257938.tif 000006
【図５】
2005257938.tif 000007
【図６】
2005257938.tif 000008
【図７】
2005257938.tif 000009
【図８】
2005257938.tif 000010
【図９】
2005257938.tif 000011
【図１０】
2005257938.tif 000012
【図１１】
2005257938.tif 000013
【図１２】
2005257938.tif 000014
【図１３】
2005257938.tif 000015
【図１４】
2005257938.tif 000016
【図１５】
2005257938.tif 000017